(57)【要約】【課題】配線構造を備えており、且つ、構造の合理化を図ったインターホン機器を提供する。【解決手段】保持ケース１１の後面に、第１の制御基板４を取り付けるための第１の基板取付部１２と、第２の制御基板５を取り付けるための第２の基板取付部１３とを左右に並べて設けるとともに、保持ケース１１の上縁に、制御基板４、５を電気的に接続するためのケーブルを配線するための配線部１４を設けた。また、配線部１４を、保持ケース１１の上辺から上方へ突設された板部１５と、板部１５の上辺に沿って後方へ立設された上壁部１６と、板部１５の基端側に左右方向へ延設されており、上壁部１６と対向するように後方へ起立する下壁部１７とで構成し、板部１５の後側で、且つ、上壁部１６と下壁部１７とに挟まれる空間を、ケーブルを通すための配線空間とした。【選択図】図４
2019193017.tif 000002
【特許請求の範囲】
【請求項１】
本体ケースの内部に、後面を保持ケースにより覆われた状態で液晶表示装置が設置されており、前記液晶表示装置の表示画面が前記本体ケースの前面に露出してなるインターホン機器であって、
前記保持ケースの後面に、第１の基板を取り付けるための第１の基板取付部と、第２の基板を取り付けるための第２の基板取付部とが左右に並べて設けられているとともに、
前記保持ケースの上縁及び／又は下縁に沿って、両前記基板を電気的に接続するケーブルを配線するための配線空間となる配線部が設けられており、
さらに、前記配線部が、前記保持ケースの外方へ突出する板部と、前記板部の先端縁に沿って後方へ立設された外壁部と、前記板部の基端側に左右方向へ延設されており、前記外壁部と対向するように後方へ起立する内壁部とからなり、前記板部の後側で、且つ、前記外壁部と前記内壁部とに挟まれる空間が、両前記基板を電気的に接続するケーブルを配線するための配線空間とされていることを特徴とするインターホン機器。
【請求項２】
本体ケースの内部に、後面を保持ケースにより覆われた状態で液晶表示装置が設置されており、前記液晶表示装置の表示画面が前記本体ケースの前面に露出してなるインターホン機器であって、
前記保持ケースの後面に、第１の基板を取り付けるための第１の基板取付部と、第２の基板を取り付けるための第２の基板取付部とが上下に並べて設けられているとともに、
前記保持ケースの左縁及び／又は右縁に沿って、両前記基板を電気的に接続するケーブルを配線するための配線空間となる配線部が設けられており、
さらに、前記配線部が、前記保持ケースの外方へ突出する板部と、前記板部の先端縁に沿って後方へ立設された外壁部と、前記板部の基端側に上下方向へ延設されており、前記外壁部と対向するように後方へ起立する内壁部とからなり、前記板部の後側で、且つ、前記外壁部と前記内壁部とに挟まれる空間が、両前記基板を電気的に接続するケーブルを配線するための配線空間とされていることを特徴とするインターホン機器。
【請求項３】
前記外壁部と前記内壁部との何れか一方の先端に、前記配線空間の後側を覆う庇部が折り曲げ成形されていることを特徴とする請求項１又は２に記載のインターホン機器。
【発明の詳細な説明】
【技術分野】
【０００１】
本発明は、たとえば居室内に設置される液晶表示装置を備えたインターホン親機等のインターホン機器に関するものである。
【背景技術】
【０００２】
従来、たとえばインターホン機器の一例であるインターホン親機には、通話に係る動作等を制御するための制御基板が内蔵されている（たとえば特許文献１）。また、近年、インターホン機器の多機能化等によって、制御基板としてたとえば８層基板と４層基板との２つの基板を内蔵することがある。そして、そのような場合、当然ながら基板同士をケーブルで接続する必要がある。
【先行技術文献】
【特許文献】
【０００３】
【特許文献１】特開２０１７−４６１７８号公報
【発明の概要】
【発明が解決しようとする課題】
【０００４】
ケーブルの中には、液晶表示装置等の他の装置に接触しないように配線する必要のあるものもある。しかしながら、従来のインターホン機器はケーブルの配線に係る構造に乏しく、配線構造を備えてなるものが望まれている。ただ、近年のインターホン機器は薄型化の傾向にあるため、配線構造を設けるとしても省スペース化や部品点数の増加の抑制を図る必要がある。
【０００５】
そこで、本発明は、上記問題に鑑みなされたものであって、配線構造を備えており、且つ、構造の合理化を図ったインターホン機器を提供しようとするものである。
【課題を解決するための手段】
【０００６】
上記目的を達成するために、本発明のうち請求項１に記載の発明は、本体ケースの内部に、後面を保持ケースにより覆われた状態で液晶表示装置が設置されており、液晶表示装置の表示画面が本体ケースの前面に露出してなるインターホン機器であって、保持ケースの後面に、第１の基板を取り付けるための第１の基板取付部と、第２の基板を取り付けるための第２の基板取付部とが左右に並べて設けられているとともに、保持ケースの上縁及び／又は下縁に沿って、両基板を電気的に接続するケーブルを配線するための配線空間となる配線部が設けられており、さらに、配線部が、保持ケースの外方へ突出する板部と、板部の先端縁に沿って後方へ立設された外壁部と、板部の基端側に左右方向へ延設されており、外壁部と対向するように後方へ起立する内壁部とからなり、板部の後側で、且つ、外壁部と内壁部とに挟まれる空間が、両基板を電気的に接続するケーブルを配線するための配線空間とされていることを特徴とする。
【０００７】
また、上記目的を達成するために、本発明のうち請求項２に記載の発明は、本体ケースの内部に、後面を保持ケースにより覆われた状態で液晶表示装置が設置されており、液晶表示装置の表示画面が本体ケースの前面に露出してなるインターホン機器であって、保持ケースの後面に、第１の基板を取り付けるための第１の基板取付部と、第２の基板を取り付けるための第２の基板取付部とが上下に並べて設けられているとともに、保持ケースの左縁及び／又は右縁に沿って、両基板を電気的に接続するケーブルを配線するための配線空間となる配線部が設けられており、さらに、配線部が、保持ケースの外方へ突出する板部と、板部の先端縁に沿って後方へ立設された外壁部と、板部の基端側に上下方向へ延設されており、外壁部と対向するように後方へ起立する内壁部とからなり、板部の後側で、且つ、外壁部と内壁部とに挟まれる空間が、両基板を電気的に接続するケーブルを配線するための配線空間とされていることを特徴とする。
【０００８】
請求項３に記載の発明は、請求項１又は２に記載の発明において、外壁部と内壁部との何れか一方の先端に、配線空間の後側を覆う庇部が折り曲げ成形されていることを特徴とする。
【発明の効果】
【０００９】
本発明によれば、保持ケースの後面に、第１の基板を取り付けるための第１の基板取付部と、第２の基板を取り付けるための第２の基板取付部とが左右（請求項２では上下）に並べて設けられているとともに、保持ケースの上縁及び／又は下縁（請求項２では左縁及び／又は右縁）に沿って、両基板を電気的に接続するケーブルを配線するための配線空間となる配線部が設けられている。また、配線部が、保持ケースの外方へ突出する板部と、板部の先端縁に沿って後方へ立設された外壁部と、板部の基端側に左右方向（請求項２では上下方向）へ延設されており、外壁部と対向するように後方へ起立する内壁部とからなり、板部の後側で、且つ、外壁部と内壁部とに挟まれる空間が、両基板を電気的に接続するケーブルを配線するための配線空間とされている。したがって、従来のインターホン機器にはなかった配線構造を備えているため、ケーブルと液晶表示装置等の他の装置との接触を確実に防止することができる。また、配線部が保持ケースに一体成形されているため、別途部材を設置する必要がなく、本体ケース内における省スペース化及び部品点数の増加の抑制を図ることができ、ひいてはインターホン機器の薄型化を図ることができる。
また、請求項３に記載の発明によれば、外壁部と内壁部との何れか一方の先端に、配線空間の後側を覆う庇部が折り曲げ成形されているため、庇部によって、配線空間内を通されたケーブルの後方への撓みを抑えることができる。
【図面の簡単な説明】
【００１０】
【図１】インターホン親機を前面側から示した説明図である。
【図２】インターホン親機の内部を後面側から示した説明図である。
【図３】インターホン親機の内部を後面側から示した斜視説明図である。
【図４】保持ケースを後面側から示した斜視説明図である。
【発明を実施するための形態】
【００１１】
以下、本発明の一実施形態となるインターホン親機について、図面にもとづき詳細に説明する。
【００１２】
図１は、インターホン親機１を前面側から示した説明図である。図２は、インターホン親機１の内部を後面側から示した説明図である。図３は、インターホン親機１の内部を後面側から示した斜視説明図である。図４は、保持ケース１１を後面側から示した斜視説明図である。
【００１３】
インターホン親機１は、前側に配置される前ケース２及び後側に配置される後ケース（図示せず）を組み付け、さらに前ケース２の前面を覆うように化粧パネル８を取り付けてなる本体ケースを備えてなり、本体ケース前面の略中央には、インターホン子機（図示せず）で撮像された映像等を表示するための表示画面１０が露出している。また、本体ケース前面の下部には、インターホン子機からの呼び出しに応答するためのボタン９が設けられている。さらに、本体ケース前面の右部には、図示しないインターホン子機と通話するための通話部６が設けられている。加えて、本体ケース内には、インターホン子機との通信動作等といったインターホン親機１の主たる動作を制御する制御基板４、５、及び表示画面１０を有する液晶表示装置（図示せず）等が内蔵されている。
【００１４】
ここで、本発明の要部となる制御基板４、５の配線に係る構造について説明する。
本体ケース内において、液晶表示装置は、保持ケース１１により後面を覆われた状態で保持されている。そして、当該保持ケース１１の後面には、第１の制御基板４を取り付けるための第１の基板取付部１２と、第２の制御基板５を取り付けるための第２の基板取付部１３とが左右に並べて設けられている。また、保持ケース１１の上縁には、制御基板４、５を電気的に接続するためのケーブルを配線するための配線部１４が設けられている。
【００１５】
配線部１４は、保持ケース１１の上辺から上方へ突設された板部１５と、板部１５の上辺に沿って後方へ立設された上壁部１６と、板部１５の基端側に左右方向へ延設されており、上壁部１６と対向するように後方へ起立する下壁部１７とを有し、保持ケース１１と一体成形されている。そして、板部１５の後側で、且つ、上壁部１６と下壁部１７とに挟まれる空間が、ケーブルを通すための配線空間として機能するようになっている。なお、板部１５は、その左端が第１の基板取付部１２の上方に、右端が第２の基板取付部１３の上方に夫々位置するように設けられている。また、配線部１４の左右両端部は、どちらも左右外側に開口している。
【００１６】
また、下壁部１７の先端（後端）には、上方へ折り曲げられて配線空間の後方を覆う庇部１８が設けられており、当該庇部１８によって、配線空間内を通されたケーブルの後方への撓みが抑えられるようになっている。更に、庇部１８には、配線空間を一部露出するための円弧状の切り欠き１９、１９が設けられており、配線空間へのケーブルの配線作業を容易に行うことができるようになっている。一方、上壁部１６における切り欠き１９、１９に対向する箇所には、配線空間上へ突出する突起２０、２０が設けられており、配線空間内を通されたケーブルが切り欠き１９、１９を介して後方へ膨出することを抑制可能としている。
【００１７】
以上のような構成を有するインターホン親機１によれば、保持ケース１１の後面に、第１の制御基板４を取り付けるための第１の基板取付部１２と、第２の制御基板５を取り付けるための第２の基板取付部１３とを左右に並べて設けるとともに、保持ケース１１の上縁に、制御基板４、５を電気的に接続するためのケーブルを配線するための配線部１４を設けている。また、配線部１４を、保持ケース１１の上辺から上方へ突設された板部１５と、板部１５の上辺に沿って後方へ立設された上壁部１６と、板部１５の基端側に左右方向へ延設されており、上壁部１６と対向するように後方へ起立する下壁部１７とで構成し、板部１５の後側で、且つ、上壁部１６と下壁部１７とに挟まれる空間を、ケーブルを通すための配線空間としている。したがって、従来のインターホン機器にはなかった配線構造を備えているため、ケーブルと液晶表示装置等の他の装置との接触を確実に防止することができる。また、配線部１４を保持ケースに一体成形しているため、別途部材を設置する必要がなく、本体ケース内における省スペース化及び部品点数の増加の抑制を図ることができ、ひいてはインターホン親機１の薄型化を図ることができる。
【００１８】
また、下壁部１７の先端に、上方へ折り曲げられて配線空間の後方を覆う庇部１８を設けている。したがって、庇部１８により、配線空間内を通されたケーブルの後方への撓みを抑えることができる。
さらに、庇部１８に、配線空間を一部露出するための円弧状の切り欠き１９、１９を設けているため、配線空間へのケーブルの配線作業を容易に行うことができる。加えて、上壁部１６における切り欠き１９、１９に対向する箇所に、配線空間上へ突出する突起２０、２０を設けているため、配線空間内を通されたケーブルが切り欠き１９、１９を介して後方へ膨出することを抑制することができる。
【００１９】
なお、本発明に係るインターホン機器は、インターホン機器の全体的な構成は勿論、配線部に係る構成等についても、本発明の趣旨を逸脱しない範囲で必要に応じて適宜変更することができる。
【００２０】
たとえば上記実施形態ではインターホン親機について説明しているが、本発明は、インターホン子機等の他のインターホン機器に対しても好適に採用することができる。
また、上記実施形態では、保持ケースの上縁に配線部を設けているが、下縁に配線部を設けてもよいし、上下両縁に配線部を設けてもよいし、上縁に配線部を２箇所設ける等してもよく、配線部の数や位置は適宜設計変更可能である。さらに、保持ケースの後面において、基板取付部が上下に並べて設けられている場合には、保持ケースの左縁や右縁に同様の配線部を設ければよい。すなわち、保持ケースの左右外方へ突出する板部を設けるとともに、板部の先端縁に沿って外壁部を、板部の基端側に上下方向へ延びる内壁部を夫々設ければよい。
加えて、上記実施形態では、下壁部に庇部を設けているが、上壁部に庇部を設けてもよいし、庇部や切り欠き、突起の有無や数についても適宜変更設計可能である。
【符号の説明】
【００２１】
１・・インターホン親機（インターホン機器）、２・・前ケース（本体ケース）、４、５・・制御基板、１０・・表示画面、１１・・保持ケース、１２、１３・・基板取付部、１５・・板部、１６・・上壁部（外壁部）、１７・・下壁部（内壁部）、１８・・庇部、１９・・切り欠き、２０・・突起。
【図１】
2019193017.tif 000003
【図２】
2019193017.tif 000004
【図３】
2019193017.tif 000005
【図４】
2019193017.tif 000006